(57)【特許請求の範囲】
【請求項１】
炭火などの火力を調節するためのものであり、
所定の厚さ、幅及び長さを持つ細長い第１ないし第４プレートが相互連結され、前記第１プレートと第３プレートとを連結する少なくとも一本以上の第１支持棒と、第２プレートと第４プレートとを連結する少なくとも一本以上の第２支持棒とが相互交差して形成されていることを特徴とする火力調節器。
【請求項２】
前記第１ないし第４プレートが内側（中心点）に向かって湾曲して連結されていることを特徴とする請求項１に記載の火力調節器。
【請求項３】
前記第１ないし第４プレートが全体的に菱形状に連結されていることを特徴とする請求項１に記載の火力調節器。
【請求項４】
前記第１支持棒と第２支持棒とは“＋”状に相互交差して形成されていることを特徴とする請求項１に記載の火力調節器。
【請求項５】
前記第１支持棒と第２支持棒とは“＃”状に相互交差して形成されていることを特徴とする請求項１に記載の火力調節器。
【発明の詳細な説明】
【技術分野】
【０００１】
本発明は火力を調節し難い炭火などの火力を調節できる火力調節器に関する。
【背景技術】
【０００２】
肉や魚などを料理する時、煮たり蒸したり煮付けしたりゆでるよりは焼き網で焼くことが飲食物の味をさらに良くする。したがって、飲食店や家庭で焼き料理を多く作り、料理に使われる燃料もガス火よりは炭火を多く使っている。
【０００３】
ところが、炭火はその火力を調節し難いので、焼き網上に載せられた肉や魚などの中が調理される前に外部が焦げてしまう場合が多く、甚だしい場合には食べられない程度まで焦げてしまうことも多かった。このように、肉や魚がひどく焦げれば発ガン物質が生じる原因となるので健康に非常に害になった。
【０００４】
また、肉や魚が焦げれば苦味がして食べられなくなるので、焦げた飲食物を捨てねばならないなど飲食物の損失が発生した。
【０００５】
そして、肉や魚がひどく焦げるにつれて焼き網を頻繁に取り替えねばならないが、焼き網を再使用するために洗浄する過程で多くの環境汚染物質が発生した。
【発明の開示】
【発明が解決しようとする課題】
【０００６】
本発明は前記の問題点を解決するためになされたものであり、炭火の火力を調節することによって肉や魚などが焦げることを防止して発ガン物質の生成を防止し、焦げて捨てるようになる飲食物の量を減らすことができるだけではなく、焼き網を頻繁に取り替えずに済むので環境汚染物質の発生を最小化し、かつ焼き網洗浄の煩わしさを減らしうる火力調節器を提供することを目的とする。
【課題を解決するための手段】
【０００７】
前記のような目的を達成するために、本発明による火力調節器は、炭火などの火力を調節するためのものであり、所定の厚さ、幅及び長さを持つ細長い第１ないし第４プレートが相互連結され、前記第１プレートと第３プレートとを連結する少なくとも一本以上の第１支持棒と、第２プレートと第４プレートとを連結する少なくとも一本以上の第２支持棒とが相互交差して形成されていることを特徴とする。
【０００８】
本発明において、前記第１ないし第４プレートが内側（中心点）に向かって湾曲して連結される。
【０００９】
本発明において、前記第１ないし第４プレートが全体的に菱形状に連結される。
【００１０】
本発明において、前記第１支持棒と第２支持棒とは“＋”状に相互交差して形成される。
【００１１】
本発明において、前記第１支持棒と第２支持棒とは“＃”状に相互交差して形成される。
【発明の効果】
【００１２】
本発明によれば、飲食店だけでなく家庭などで使用する場合に、火力の強度によって火力調節器を炭火上に一つずつ積み上げることによって火力を適切に調節できる。したがって、肉や魚が焦げることを防止して発ガン物質の生成を回避でき、かつ焦げ過ぎて捨てる飲食物の量を減らしうる。
【００１３】
また、肉や魚が焦げることを防止して焼き網を頻繁に取り替えずに済むので環境汚染物質の発生を最小化し、かつ焼き網を取り替える煩わしさを減らしうる。
【００１４】
それだけでなく、飲食物を急いで焼く必要がないので時間的にもゆっくりと余裕のある食事を楽しめる。
【発明を実施するための最良の形態】
【００１５】
以下、本発明による火力調節器を添付された図面を参照して詳細に説明する。
【００１６】
本発明による火力調節器の基本的な構成は、所定の厚さ、幅及び長さを持つ第１ないし第４プレートが相互連結され、第１プレートと第３プレートとを連結する少なくとも一本以上の第１支持棒と、第２プレートと第４プレートとを連結する少なくとも一本以上の第２支持棒とが相互交差して形成されて具現される。これを詳細に説明すれば次の通りである。
【００１７】
図１は本発明による火力調節器の第１実施例の斜視図であり、図２は図１の火力調節器が七輪と焼き網間に配置される状態を示した図面であり、図３は図１の火力調節器に容器が載せられる状態を示した図面である。
【００１８】
図示されたように、本発明による火力調節器１０の第１実施例では、炭火を収容する七輪Ｓ上に載せて、火力が強くなるにつれて一個ずつ焼き網下に順に積み上げることによって、すなわち、火力と焼き網間の間隔を離すことによって火力の強度を弱め、火力が弱くなれば１個ずつ抜き出すことによってまた強い火力を使用できる。
【００１９】
このような火力調節器１０は、所定の厚さ、幅及び長さを持つ細長い第１ないし第４プレート１１、１２、１３、１４が相互連結されるが、それぞれのプレート１１、１２、１３、１４が内側（中心点）に向かって湾曲して結合されることにより全体的にループ状をなす。このように、第１ないし第４プレートが内側に向かって配置されることによって、複数個の火力調節器を安定的に積み上げられるようになる。
【００２０】
また、相互対向する第１プレート１１と第３プレート１３とは第１支持棒ａで連結され、相互対向する第２プレート１２と第４プレート１４ともやはり第２支持棒ｂで連結される。これにより、第１支持棒ａと第２支持棒ｂとは“＋”状に相互交差する。第１支持棒ａと第２支持棒ｂとが“＋”状に相互交差して設置されることによって、別途の装置（例えば、焼き網など）なしに容器Ｂを第１、２支持棒ａ、ｂに載せられる。
【００２１】
本実施例で、第１ないし第４プレート１１、１２、１３、１４それぞれの厚さは約３ｍｍ〜１０ｍｍ、幅は約３０ｍｍ程度であり、その長さはそれぞれ２５０ｍｍ程度である。これら第１ないし第４プレート１１、１２、１３、１４はその端部から内側に約２５ｍｍの位置にモクねじ１７あるいはボルトナットを利用して連結される。しかし、前記の厚さ、幅及び長さは使われる七輪の大きさやその他の必要に応じて変わりうることはいうまでもない。そして、前記プレートは通常的に衛生的かつ経済的であり、軽くて取扱いやすい金属製品のプレートを使用するが、適切なものであればその他の材料も使用できる。
【００２２】
尚、前記のような構造の火力調節器の動作を説明する。
【００２３】
七輪Ｓに本願の火力調節器１０を載せ、その火力調節器１０に焼き網Ｇを載せる。そして、焼き網Ｇに肉や魚を載せて焼く。
【００２４】
飲食物を焼く途中で炭火の火力が非常に強くなれば、図２に図示されたように、火力調節器１０上に他の火力調節器１０’を載せ、最上部の火力調節器１０’に焼き網Ｇを載せる。それにより、七輪Ｓと焼き網間の間隔が遠ざかりつつ焼き網上の火力が弱くなり、したがって焼き網Ｇ上に載せられた肉や魚が焦げなくなる。また、肉や魚などが焦げないので焼き網Ｇを取り替える必要もなくゆっくり楽しみながら飲食物を食べられる。
【００２５】
次に、本発明による火力調節器の第２実施例を説明する。
【００２６】
図４は、本発明による火力調節器の第２実施例の斜視図である。図示されたように、本発明による火力調節器の第２実施例が第１実施例と異なる点は、第１支持棒ａと第２支持棒ｂとがそれぞれ２本ずつ採用されることである。すなわち、相互対向する第１プレート１１と第３プレート１３とは２本の第１支持棒ａで連結され、相互対向する第２プレート１２と第４プレート１４ともやはり２本の第２支持棒ｂで連結される。これにより、第１支持棒ａと第２支持棒ｂとは“＃”状に相互交差する。第１支持棒ａと第２支持棒ｂとが“＃”状に相互交差して設置されることによって、別途の装置（例えば、焼き網など）なしに容器Ｂを第１、２支持棒ａ、ｂに載せられる。
【００２７】
次いで、本発明による火力調節器の第３実施例を説明する。
【００２８】
図５は、本発明による火力調節器の第３実施例の斜視図である。図示されたように、本発明による火力調節器の第３実施例が第１実施例と異なる点は、第１ないし第４プレート１１’、１２’、１３’、１４’が相互連結されるが、全体的に菱形状に連結されることである。そして、相互対向する第１プレート１１’と第３プレート１３’とは１本または２本の第１支持棒ａで連結され、相互対向する第２プレート１２’と第４プレート１４’ともやはり１本または２本の第２支持棒ｂで連結されることである。すなわち、第１、２支持棒ａ、ｂが“＋”状に交差して配置されることもあり、“＃”状に交差して配置されることもある。
【産業上の利用可能性】
【００２９】
本発明の火力調節器は、飲食店や家庭などで肉や魚などを焼く時に利用できる。
【図面の簡単な説明】
【００３０】
【図１】本発明による火力調節器の第１実施例の斜視図である。
【図２】図１の火力調節器が七輪と焼き網間に配置される状態を示した図面である。
【図３】図１の火力調節器に容器が載せられる状態を示した図面である。
【図４】本発明による火力調節器の第２実施例の斜視図である。
【図５】本発明による火力調節器の第３実施例の斜視図である。
【符号の説明】
【００３１】
１０  火力調節器
１１、１２、１３、１４  第１ないし第４プレート
ａ  第１支持棒
ｂ  第２支持棒
１７  モクねじ
【図１】
0003727644.tif 000002
【図２】
0003727644.tif 000003
【図３】
0003727644.tif 000004
【図４】
0003727644.tif 000005
【図５】
0003727644.tif 000006